(57)【要約】【課題】動力噴霧機は年に数回しか使用しないので、放電してしまい、充電の度にバッテリーを外すのに手間がかかる。そこで、バッテリーの管理がし易いように取り外し簡単な構造とした。【解決手段】ホース巻取機のフレーム２の側部に設けるバッテリー１０の取付部において、バッテリー１０の少なくとも下面と両側面を覆う収納ケース１３を形成し、該収納ケース１３にバッテリー１０を収納し、該収納ケース１３上に把手を有する連結体１６を横架してバッテリー１０を固定するとともに、バッテリー１０の接続端子１９にケーブル２０を接続し、該ケーブル２０端にコネクター２１を設け、ホース巻取機側の電源供給ケーブル２２に設けたコネクター２３と脱着可能とし、前記バッテリー１０を収納した収納ケース１３を、ホース巻取機のフレーム２に固定した保持体１２に載置固定可能に構成した。【選択図】図５
2005263496.tif 000002
【特許請求の範囲】
【請求項１】
ホース巻取機のフレーム２の側部に設けるバッテリー１０の取付部において、バッテリー１０の少なくとも下面と両側面を覆う収納ケース１３を形成し、該収納ケース１３にバッテリー１０を収納し、該収納ケース１３上に把手を有する連結体１６を横架してバッテリー１０を固定するとともに、バッテリー１０の接続端子１９にケーブル２０を接続し、該ケーブル２０端にコネクター２１を設け、ホース巻取機側の電源供給ケーブル２２に設けたコネクター２３と脱着可能とし、前記バッテリー１０を収納した収納ケース１３を、ホース巻取機のフレーム２に固定した保持体１２に載置固定可能に構成したことを特徴とするホース巻取機のバッテリー支持構造。
【発明の詳細な説明】
【技術分野】
【０００１】
本発明は、外部より動力を得て、無線の遠隔操作によるホースの巻取、繰出が可能なホース巻取機において、バッテリーの管理を容易にする技術に関する。
【背景技術】
【０００２】
従来から、動力噴霧機のクランク軸よりフレキシブルワイヤーを介して駆動力をホース巻取機に伝える技術は公知になっており、また、動力噴霧機とホース巻取機とを一体的に構成した技術も公知になっている。これらホース巻取機は遠隔操作や機体に設けたレバーやスイッチ等の手動操作で電磁クラッチやテンションクラッチを入り切りさせて、ホースの巻取や繰出を切り換えることができるように構成されていた。
【特許文献１】実開平６−４９４００号公報
【特許文献２】実開平６−３４７６７号公報
【発明の開示】
【発明が解決しようとする課題】
【０００３】
遠隔操作式のホース巻取機を動力噴霧器に後付けする場合、ホース巻取機には受信機や電磁クラッチやランプ等を作動させるためにバッテリーを付設する必要があるが、従来では取付台にバッテリーを載置し、その両側で長尺ボルトを取付台から垂直方向に挿入して、上端で固定杆をバッテリー上面に載せて、該固定杆の両側を長尺ボルトに挿入して、ボルトまたは蝶ナット等で固定するように構成していた。
【課題を解決するための手段】
【０００４】
本発明が解決しようとする課題は以上の如くであり、次に該課題を解決するための手段を説明する。
ホース巻取機のフレーム２の側部に設けるバッテリー１０の取付部において、バッテリー１０の少なくとも下面と両側面を覆う収納ケース１３を形成し、該収納ケース１３にバッテリー１０を収納し、該収納ケース１３上に把手を有する連結体１６を横架してバッテリー１０を固定するとともに、バッテリー１０の接続端子１９にケーブル２０を接続し、該ケーブル２０端にコネクター２１を設け、ホース巻取機側の電源供給ケーブル２２に設けたコネクター２３と脱着可能とし、前記バッテリー１０を収納した収納ケース１３を、ホース巻取機のフレーム２に固定した保持体１２に載置固定可能に構成したものである。
【０００５】
動力噴霧機は年に数回しか使用しないので、放電してしまい、充電の度にバッテリーを外すのに手間がかかり、該バッテリーの管理がし易いように取り外し簡単な構造のものが望まれてきた。
本発明は、上記のような手段を用いることによって、バッテリーを容易に本体より取り外すことができ、ハッテリーの保守・管理が容易となるのである。
【発明の効果】
【０００６】
本発明は、上記のように構成したことにより、次のような効果を得る。
ホース巻取機のフレーム２の側部に設けるバッテリー１０の取付部において、バッテリー１０の少なくとも下面と両側面を覆う収納ケース１３を形成し、該収納ケース１３にバッテリー１０を収納し、該収納ケース１３上に把手を有する連結体１６を横架してバッテリー１０を固定するとともに、バッテリー１０の接続端子１９にケーブル２０を接続し、該ケーブル２０端にコネクター２１を設け、ホース巻取機側の電源供給ケーブル２２に設けたコネクター２３と脱着可能とし、前記バッテリー１０を収納した収納ケース１３を、ホース巻取機のフレーム２に固定した保持体１２に載置固定可能に構成したので、従来のようにボルトを外す必要がなく、バッテリーは収納ケースの把手を持ち上げるだけで簡単に取り外すことができ、充電が簡単に行えるので、バッテリーの電圧が低下した状態で、無理して使用することが減少し、受信能力の低下により無線操作に障害を来すことはない。そして、メンテナンス性に優れ、バッテリー管理が容易にできるようになり、また、他の直流電源に利用する場合にも簡単に持ち運びできる。
【実施例】
【０００７】
本発明の構成の実施例を添付の図面を用いて説明する。
図１はホース巻取機と動力噴霧機の側面図、図２はホース巻取機の側面図、図３は整列装置並びにホースガイドを示す側面図、図４は入力軸を示す正面部一部断面図、図５はバッテリーの固定構造を示す斜視図、図６は噴霧ホースを案内する繰出ローラーの側面図、図７は凹字溝を有す繰出ローラーの平面図、図８は繰出ローラーの側板をハの字状に形設した場合の平面図である。
【０００８】
図１乃至図３において、ホース巻取機Ａの全体構成を説明する。
本実施例のホース巻取機Ａは動力噴霧機Ｂに後付けできるようにしており、フレーム２は四角状にパイプを折り曲げ、中央水平方向にもサポート２ａを横架して、このサポート２ａの中央に回動軸４３が軸支され、該回転軸４３上に噴霧ホース９を巻き付ける巻取リール４０が設けられる。該巻取リール４０上方のフレーム２上に整列装置Ｆ及び繰出装置が配置されて噴霧ホース９を繰出、巻取可能に構成されている。
【０００９】
前記整列装置Ｆ及び繰出装置は、側板４１・４１にてカバーされ、該整列装置Ｆは、側板４１・４１に横架されている支持杆と、トラバース軸２５を介して左右摺動する移動ベース２９と、該移動ベース２９の上部のホース引き出し口に左右水平方向に回動可能に立設されているホースガイド３０にて構成されている。また、該ホースガイド３０上部より上方に受信アンテナＣを突設している。
【００１０】
そして、図３に示す如く、前記移動ベース２９内には、側板４１・４１に横架されている繰出軸２７を介して回動する繰出プーリー２８とテンションローラー３１を配設し、該繰出プーリー２８とテンションローラー３１にて噴霧ホース９を挟持して繰り出しを行うように構成されている。前記移動ベース２９上端で噴霧ホース９を平面視３６０°回転自在に案内支持するホースガイド３０には、噴霧ホース９の巻き込み、引き出し時のガイドとなる回転自在に軸支されているガイドローラー３５と、ガイド部材３６を配設し、前記噴霧ホース９の先端がガイド部材３６に当接すると該ガイド部材３６はバネ３７、摺動杆３８、アーム３９を介してワイヤーを引っ張って後述するテンションアーム４５が回動してベルト６２を空転させ、巻き取りを停止するようにしている。こうして、前記噴霧ホース９の繰出・巻取を円滑に行うようにしている。
【００１１】
そして、図６に示す如く前記繰出プーリー２８は繰出軸２７と一体的に回動するように構成されており、本実施例において、該繰出プーリー２８の断面をＶ字状に形設するＶ字溝２８ａの外周面の一部を図７に示す如く凹字状の凹字溝２８ｂに形設した。このように構成することで、前記テンションローラー３１により噴霧ホース９を繰出プーリー２８に押し付けるとＶ字溝２８ａにより、噴霧ホース９の側面がＶ字溝２８ａに圧接されて該噴霧ホース９が挟持されて繰り出すことができる。また、該凹字溝２８ｂの幅及び深さは噴霧ホース９の径より大きく構成しており、前記テンションローラー３１は繰出プーリー２８の外周に当接して、噴霧ホース９は凹字溝２８ｂ内に収納され挟持されない。つまり、噴霧ホース９を手で引っ張って繰り出すときには、繰出プーリー２８を少なくとも一周させると噴霧ホース９は凹字溝２８ｂ内に位置し、テンションローラー３１により圧接されることなく大きな力を必要とせず引き出すことができる。
【００１２】
また、前記繰出プーリー２８は図８に示す如く構成することもできる。即ち、ガイド側板２８ｄ・２８ｄをハの字状に構成し、溝幅の間隔を一部広くして噴霧ホース９の直径より大きい拡大溝部２８ｅを形成する。該拡大溝部２８ｅにおいては、図に示す如く前記テンションローラー３１は繰出プーリー２８のガイド側板２８ｄ・２８ｄの外側に当接して、前記拡大溝部２８ｅ内に噴霧ホース９が位置して、前記同様に噴霧ホース９の側面を圧縮することなく、大きな力を必要とせず繰り出すことができる。
【００１３】
このようにホース巻取機Ａを作動させない状態で噴霧ホース９を手動により引き出す際には、前記テンションローラー３１と繰出プーリー２８により噴霧ホース９を挟持している位置から少し回転させることで、噴霧ホース９は引き出しに伴われて繰出プーリー２８の凹字溝２８ｂ又は、ハの字状の拡大溝部２８ｅに位置し、噴霧ホース９は前記テンションローラー３１と繰出プーリー２８に挟持されずに容易に引き出すことができる。
【００１４】
そして、前記巻取リール４０に巻き付けられている噴霧ホース９には、前記回動軸４３より図１に示す、クランクケース５０、圧力室５１、圧力計５３、圧力調整ダイヤル５４や圧力レバー５５等にて構成される動力噴霧機Ｂの吐出口に接続される。該動力噴霧機Ｂは、エンジン又はモーターより動力が前記クランクケース５０より突出したクランク軸５６上のプーリーに伝達されて、該クランクケース５０内のプランジャーが往復動することにより、吸水口から吸入した液体を吐出口より吐出している。
【００１５】
また、前記動力噴霧機Ｂのクランク軸５６は側方に突出されており、一端は前記プーリーが固設され、他端にフレキシブルワイヤー６を連結してホース巻取機Ａに動力を伝達するように構成している。前記ホース巻取機Ａの側面前部には入力軸１が軸支され、該入力軸１に固設されるプーリー４から、ベルト６２、プーリー６１介して駆動軸６０に駆動力を伝達している。前記ベルト６２の途中部にはテンションアーム４５に枢支されるテンションローラーによって押さえられている。前記駆動軸６０に伝えられた動力は、巻取電磁クラッチ６４のスプロケットからチェーン７２、スプロケット７１を介して回転軸４３に伝えられ、該回転軸４３に固設されている整列回動スプロケット７３からチェーン７７、整列スプロケット７６を介してトラバース軸２５に伝えられて整列装置Ｆを駆動する。
【００１６】
そして、前記駆動軸６０に固設されている図示せぬプーリーからベルト６７、繰出プーリー６６を介してカウンター軸６５に伝えられ、該カウンター軸６５に固設される繰出電磁クラッチ６８のスプロケットからチェーン７０、繰出スプロケット６９を介して繰出軸２７に伝えられて繰出装置を駆動するように構成されている。これらの駆動系統はカバー５により被装されている。
【００１７】
そして、前記電磁クラッチ６４・６８や受信機、及びホース巻取機Ａの上面に配設する散布ランプ３２等の電源は図２に示すバッテリー１０である。該バッテリー１０は前記駆動系統の逆側面において、前記フレーム２の前後に横設するサポート２ａに固設する受板１１に載置する構成になっている。該受板１１には、上面に嵌入口１２ａを開口する箱型の保持体１２を固着している。
【００１８】
一方、前記バッテリー１０は図５に示すように、バッテリー１０の下面及び両側面を被装する収納ケース１３に収納される。該収納ケース１３は板体を側面視逆「Ω」状に形成して、側面上部より両側方に固定部１３ａ・１３ａを形設し、該固定部１３ａ・１３ａに開口する孔部１３ｂ・１３ｂと軸芯の一致して開口した連結体１６の両端部の孔に、ボルト１７を挿入し、ナット１８等により締めつけてバッテリー１０を固定している。そして、前記連結体１６の上面に把手１５を固着して持ち運びを容易としている。また、該連結体１６は側面視コ字状に構成されて、開放側でバッテリー液補充口を被装するようにしている。
【００１９】
更に、バッテリー端子１０ｂ・１０ｂに接続する接続端子１９・１９より延設するケーブル２０・２０端にコネクター２１を設け、本体に送電する電源供給ケーブル２２の端部にコネクター２１と嵌合合致するコネクター２３を接続している。そのため、該コネクター２１の接続を外して、前記把手１５を用いてバッテリー１０を収納ケース１３を伴って引き上げることで、図５に示す如く本体よりバッテリー１０を容易に取り出すことができ、充電等が容易にできる。
【００２０】
次に、前記フレキシブルワイヤー６を連結する入力軸１について図４を用いて説明する。
該入力軸１は、フレーム２の前部には、フレーム面に沿って取付板７を固設し、該取付板７には取付筒８を固設し、該取付筒８には、軸受け３を介して軸芯を左右方向にする入力軸１を軸支している。該入力軸１上の、前記軸受け３の左側には前述するプーリー４を固設し、入力軸１の左端部は前記プーリー４より更に左側へ突出して、カバー５に開口する孔部５ａの近傍まで延出している。該入力軸１の右側の端部は、前記軸受け３より内側に向かって突出して、ホース巻取機Ａの正面視において開放状態となっている。よって、入力軸１の両側にフレキシブルワイヤー６の伝動部６ａを接続可能となっている。
【００２１】
つまり、前記動力噴霧機Ｂのクランク軸５６の回転方向は機種やメーカーによって異なり、一方、ホース巻取機Ａの回転方向は一定である。従って、クランク軸５６にフレキシブルワイヤー６の一端を接続し、フレキシブルワイヤー６の他端は、その回転方向をホース巻取機Ａの回転に合わせて、フレキシブルワイヤー６の伝動部６ａを入力軸１の右側または左側に接続するのである。
【００２２】
しかし、遠隔操作式自動繰出・巻取機付セット動噴は高価であり、最近市販されてユーザーも多くなってきたものであるから、従来からのユーザーは動力噴霧機とホース巻取機とは別々に購入している場合が多い。この場合、メーカーが異なったり、仕様が異なったり、年代が異なったりすると、動力噴霧機とホース巻取機とを一体とすることが難しく、動力噴霧機の動力を用いてホース巻取機を駆動することも難しかった。また、動力噴霧機のクランク軸の回転方向とホース巻取機の駆動回転方向は機種によって異なるものであるから、回転方向が合わない場合には逆転装置が必要となっていた。
【００２３】
本構成では、動力噴霧機のクランク軸よりフレキシブルワイヤーを介してホース巻取機を駆動する構成において、ホース巻取機のフレームに入力軸の中央部を回動自在に軸支し、該入力軸の中央部にプーリーを固設し、該入力軸の両端部を側方に突出して、該入力軸の何れか一方にフレキシブルワイヤーを連結可能にした。このように構成することにより、入力軸の支持構成が簡単でありながら、動力噴霧機のクランク軸の回動方向に左右されることなく、フレキシブルワイヤーを用いてホース巻取機を駆動することが可能となり、様々な種類の動力噴霧機から動力を取り出してホース巻取機を駆動することができるようになった。
【００２４】
また、従来、ホースの繰出機構があっても、近距離での作業やメンテナンス等で数メートルの短い距離の繰出操作を行う場合には、無線や駆動力を伝達して繰出操作を行うより、手動によりホースを引き出した方が簡単で早く行えるが、繰り出すためにテンションローラー等によりホースが挟持されているので、引っ張り力に大きな力を必要としていた。この挟持力を解除する構成としては、テンションローラーのテンションを外す構成が考えられるが、構造が複雑で度々繰り出すときには面倒な操作となる。
【００２５】
本構成では、ホース巻取・繰出装置の繰出軸に、外周に回転方向に溝を設けた繰出ローラーを固設し、該繰出ローラーに対向して溝側へ押しつけるテンションローラーを配置し、該繰出ローラーとテンションローラーの間に噴霧ホースを挟持して繰出可能にした構成において、該繰出ローラーの溝の一部に、噴霧ホースの径より大きい幅と深さを有する溝を形成した。このように構成することにより、動力を用いることなく、ホースの繰り出しを手動でおこないたい場合に、軽い引力で繰り出せることができるようになり、メンテナンス等の作業性を向上させることができ、機能的なものとなる。
【図面の簡単な説明】
【００２６】
【図１】ホース巻取機と動力噴霧機の側面図である。
【図２】ホース巻取機の側面図である。
【図３】整列装置並びにホースガイドを示す側面図である。
【図４】入力軸を示す正面部一部断面図である。
【図５】バッテリーの固定構造を示す斜視図である。
【図６】噴霧ホースを案内する繰出ローラーの側面図である。
【図７】凹字溝を有す繰出ローラーの平面図である。
【図８】繰出ローラーの側板をハの字状に形設した場合の平面図である
【符号の説明】
【００２７】
Ａ        ホース巻取機
Ｂ        動力噴霧機
１        入力軸
２        フレーム
６        フレキシブルワイヤー
９        噴霧ホース
１０      バッテリー
１０ｂ    バッテリー端子
１２      保持体
１３      収納ケース
２０      ケーブル
２１      コネクター
２２      電源供給ケーブル
２３      コネクター
２７      繰出軸
２８      繰出ローラー
２８ａ    Ｖ字溝
２８ｂ    凹字溝
３１      テンションローラー
６４・６８  電磁クラッチ
【図１】
2005263496.tif 000003
【図２】
2005263496.tif 000004
【図３】
2005263496.tif 000005
【図４】
2005263496.tif 000006
【図５】
2005263496.tif 000007
【図６】
2005263496.tif 000008
【図７】
2005263496.tif 000009
【図８】
2005263496.tif 000010